(57)【要約】【課題】  バナー広告はWebコンテンツに付随してはいるが、バナー広告の表示面積がＷｅｂコンテンツに比べて小さく、また同じページに複数のバナー広告が存在するのが一般的である。そのため、バナー広告自体にユーザの注目を集めにくい。【解決手段】  本発明は、上記課題に鑑みてなされたものであり、電子機器制御プログラムの更新作業の特殊性に着目したものである。電子機器制御プログラムの更新の作業者は、通常ディスプレイやプリンタの前にいて更新作業の状況を常時確認する必要がある。本発明は、例えば、ディスプレイやプリントアウトした紙などのように、更新作業において必ず注視しなければならない領域に広告を挿入することにより、電子機器制御プログラムの更新作業者が確実に広告を閲覧できるようにしたものである。【選択図】図１
2005032012.tif 000002
【特許請求の範囲】
【請求項１】
電子機器において更新すべき電子機器制御プログラムの送信要求の受付をする送信要求受付部と、
前記送信要求受付部にて受付けた送信要求に基づいて更新すべき電子機器制御プログラムの取得をするプログラム取得部と、
前記電子機器制御プログラムの更新に伴い前記電子機器を利用して出力される広告情報の取得をする広告情報取得部と、
前記電子機器制御プログラム及び、前記広告情報を含む更新情報の生成をする更新情報生成部と、
前記更新情報の送信をする更新情報送信部と、
を有する電子機器制御プログラム配信装置。
【請求項２】
電子機器において更新すべき電子機器制御プログラムの送信要求の受付をする送信要求受付部と、
前記制御プログラムの更新に伴い前記電子機器を利用して広告情報を出力可能な電子機器制御プログラムの取得をするプログラム取得部と、
前記電子機器制御プログラムを含む更新情報の生成をする更新情報生成部と、
更新情報の送信をする更新情報送信部と、
を有する電子機器制御プログラム配信装置。
【請求項３】
電子機器の制御プログラムの更新のためのプログラムであって、前記更新に伴い前記電子機器を利用して広告情報を出力可能な広告情報プログラムを含む電子機器制御プログラム。
【請求項４】
電子機器において更新すべき電子機器制御プログラムの送信要求の受付をする送信要求受付ステップと、
前記送信要求受付部にて受付けた送信要求に基づいて更新すべき電子機器制御プログラムの取得をするプログラム取得ステップと、
前記電子機器制御プログラムの更新に伴い前記電子機器を利用して出力される広告情報の取得をする広告情報取得ステップと、
前記電子機器制御プログラム及び、前記広告情報を含む更新情報の生成をする更新情報生成ステップと、
前記更新情報の送信をする更新情報送信ステップと、
を有する電子機器制御プログラム配信方法。
【請求項５】
電子機器において更新すべき電子機器制御プログラムの送信要求の受付をする送信要求受付ステップと、
前記制御プログラムの更新に伴い前記電子機器を利用して広告情報を出力可能な電子機器制御プログラムの取得をするプログラム取得ステップと、
前記電子機器制御プログラムを含む更新情報の生成をする更新情報生成ステップと、
更新情報の送信をする更新情報送信ステップと、
を有する電子機器制御プログラム配信方法。
【請求項６】
電子機器制御プログラムの更新のための方法であって、
広告情報の取得の開始の信号である取得開始信号を含む電子機器制御プログラムを電子機器に読み込ませる読込ステップと、
前記読込ステップにて前記取得開始信号を検出する検出ステップと、
前記検出ステップで取得した取得開始信号に基づいて広告情報の取得を開始する取得開始ステップと、
前記取得開始ステップにより取得の開始された広告情報を出力する出力ステップと、
からなる電子機器制御プログラムの更新方法。
【請求項７】
電子辞書装置において更新すべき電子辞書データの送信要求の受付をする送信要求受付部と、
前記送信要求受付部にて受付けた送信要求に基づいて更新すべき電子辞書データの取得をする電子辞書データ取得部と、
前記電子辞書データの更新に伴い前記電子辞書装置を利用して出力される広告情報の取得をする広告情報取得部と、
前記電子辞書データ及び、前記広告情報を含む更新情報の生成をする更新情報生成部と、
前記更新情報の送信をする更新情報送信部と、
を有する電子辞書データ配信装置。
【請求項８】
電子辞書装置において更新すべき電子辞書データの送信要求の受付をする送信要求受付部と、
前記電子辞書データの更新に伴い前記電子辞書装置を利用して広告情報を出力可能な電子辞書データの取得をする電子辞書データ取得部と、
前記電子辞書データを含む更新情報の生成をする更新情報生成部と、
更新情報の送信をする更新情報送信部と、
を有する電子辞書データ配信装置。
【請求項９】
電子辞書装置において更新すべき電子辞書データの送信要求の受付をする送信要求受付ステップと、
前記送信要求受付部にて受付けた送信要求に基づいて更新すべき電子辞書データの取得をする電子辞書データ取得ステップと、
前記電子辞書データの更新に伴い前記電子辞書装置を利用して出力される広告情報の取得をする広告情報取得ステップと、
前記電子辞書データ及び、前記広告情報を含む更新情報の生成をする更新情報生成ステップと、
前記更新情報の送信をする更新情報送信ステップと、
を有する電子辞書データ配信方法。
【請求項１０】
電子辞書装置において更新すべき電子辞書データの送信要求の受付をする送信要求受付ステップと、
前記電子辞書データの更新に伴い前記電子辞書装置を利用して広告情報を出力可能な電子辞書データの取得をする電子辞書データ取得ステップと、
前記電子辞書データを含む更新情報の生成をする更新情報生成ステップと、
更新情報の送信をする更新情報送信ステップと、
を有する電子辞書データ配信方法。
【請求項１１】
請求項１に記載の電子機器制御プログラム配信装置に対してされた電子機器において更新すべき電子機器制御プログラムの送信要求に基づいて請求項１に記載の電子機器制御プログラム配信装置から送信された更新情報を格納する電子機器制御プログラム格納部と、
前記電子機器制御プログラム格納部に格納された更新情報に含まれる電子機器制御プログラムを実行可能にインストールするインストール部と、を有し、
前記インストールに際して前記更新情報に含まれる広告情報を出力する広告情報出力部を有する
電子機器。
【発明の詳細な説明】
【技術分野】
【０００１】
本発明は、ファームウェアのアップデートを利用した広告方法に関するものである。
【背景技術】
【０００２】
近年、インターネットの普及と通信回線の高速化に伴い、インターネット上で提供される宣伝広告の利用が普及してきた。具体的には、Ｗｅｂ上でコンテンツの一部として掲載されるバナー広告のようなものが挙げられる。バナー広告に代表されるWeb広告では、Webコンテンツに広告が付随しているため、ユーザが、Webコンテンツを閲覧する際、必然的にバナー広告も閲覧してくれる可能性が高いと考えられている。そのため、特開２００２−２４５０８４に開示されているように、インターネットユーザに対して好適なバナー広告提供方法などが提案されている。
【０００３】
【特許文献１】特開２００２−２４５０８４
【発明の開示】
【発明が解決しようとする課題】
【０００４】
しかしながら、バナー広告はWebコンテンツに付随してはいるが、バナー広告の表示面積がＷｅｂコンテンツに比べて小さく、また同じページに複数のバナー広告が存在するのが一般的である。そのため、バナー広告自体にユーザの注目を集めにくい。つまり、ユーザがＷｅｂコンテンツに興味がなければ、そこに掲載されているバナー広告は閲覧されないのはもちろんのこと、逆に興味があればＷｅｂコンテンツに集中してしまい、バナー広告が閲覧されない可能性がある。
【課題を解決するための手段】
【０００５】
本発明は、上記課題に鑑みてなされたものであり、電子機器制御プログラムの更新作業の特殊性に着目したものである。電子機器制御プログラムの更新は、不具合対応や将来の機能強化のために、電子機器所有者にとっては必須作業である。そして、電子機器制御プログラムの更新の作業者は、通常ディスプレイやプリンタの前にいて更新作業の状況を常時確認する必要がある。本発明は、例えば、ディスプレイやプリントアウトした紙などのように、更新作業において必ず注視しなければならない領域に広告を挿入することにより、電子機器制御プログラムの更新作業者が確実に広告を閲覧できるようにしたものである。
【０００６】
第一の発明は、電子機器において更新すべき電子機器制御プログラムの送信要求の受付をする送信要求受付部と、前記送信要求受付部にて受付けた送信要求に基づいて更新すべき電子機器制御プログラムの取得をするプログラム取得部と、前記電子機器制御プログラムの更新に伴い前記電子機器を利用して出力される広告情報の取得をする広告情報取得部と、前記電子機器制御プログラム及び、前記広告情報を含む更新情報の生成をする更新情報生成部と、前記更新情報の送信をする更新情報送信部とを有し、広告情報が制御プログラムと一緒に送られることを特徴としている。
【０００７】
第二の発明は、電子機器において更新すべき電子機器制御プログラムの送信要求の受付をする送信要求受付部と、前記制御プログラムの更新に伴い前記電子機器を利用して広告情報を出力可能な電子機器制御プログラムの取得をするプログラム取得部と、前記電子機器制御プログラムを含む更新情報の生成をする更新情報生成部と、更新情報の送信をする更新情報送信部とを有し、広告情報と制御プログラムとが一体化したものが送られることを特徴としている。
【発明の効果】
【０００８】
以上述べたように、従来のような広告方法は閲覧される可能性が必ずあるとはいえない。例えば、インターネットでよく利用されるWebコンテンツに付随したバナー広告に関しては、バナー広告の表示面積がＷｅｂコンテンツに比べて小さく、また同じページに複数のバナー広告が存在するのが一般的である。そのため、バナー広告自体にユーザの注目を集めにくい。つまり、ユーザがＷｅｂコンテンツに興味がなければ、そこに掲載されているバナー広告は閲覧されないのはもちろんのこと、逆に興味があればＷｅｂコンテンツに集中してしまい、バナー広告が閲覧されない可能性がある。
【０００９】
本発明によれば、電子機器制御プログラムの更新作業の特殊性に着目することにより、必然的に生じるディスプレイ画面の更新状況チェックの際に、作業者が確実に広告を閲覧することができるので広告効果がアップする。
【発明を実施するための最良の形態】
【００１０】
以下に本件発明の実施の形態を説明する。実施の形態と、請求項との関係はおおむね次のようなものである。
【００１１】
実施形態１は、主に、請求項１、請求項４、請求項７、請求項９などについて説明している。
【００１２】
実施形態２は、主に、請求項２、請求項５、請求項８、請求項１０などについて説明している。
【００１３】
実施形態３は、主に、請求項３、請求項６などについて説明している。
【００１４】
実施形態４は、主に、請求項１１について説明している。
【００１５】
（実施の形態１）
【００１６】
＜実施の形態１の概念＞
【００１７】
図１に示すのは、実施の形態１の概念を示す図である。この図を用いながら、実施の形態１を説明する。
【００１８】
まず、ユーザは電子機器制御プログラム配信装置に更新の必要な電子機器制御プログラムの送信要求を行う。電子機器制御プログラム配信装置は、ユーザから要求のあった電子機器制御プログラムとそれに付随する広告情報とを、ネットワークを介してユーザ端末に送信する。ユーザ端末は、電子機器制御プログラムの更新をする電子機器自体である場合と、ユーザ端末に接続されたものが電子機器制御プログラムの更新をする必要がある電子機器である場合がある。
【００１９】
本件発明においては、ユーザ端末に接続して電子機器制御プログラムの更新を行う場合には、そのユーザ端末をも電子機器の一部を構成するものとする。
【００２０】
さて、ユーザは受信した電子機器制御プログラムを電子機器にインストールする作業を開始する。すると、電子機器制御プログラムの更新状況画面に付随して広告画面がディスプレイ上に現れ、ユーザは電子機器制御プログラムの更新作業を行うことにより、必然的に広告情報を閲覧することになる。電子機器は、デジカメ、カーナビ、プリンタ、携帯端末、ゲーム機器などが該当する。
【００２１】
＜電子機器制御プログラム配信装置＞
【００２２】
図２に示すように、電子機器制御プログラム配信装置（０２００）は、送信要求受付部（０２０１）と、プログラム取得部（０２０２）と、広告情報取得部（０２０３）と、更新情報生成部（０２０４）と、更新情報送信部（０２０５）と、からなる。
【００２３】
（送信要求受付部）
【００２４】
「送信要求受付部」は、更新すべき電子機器制御プログラムのユーザからの送信要求の受付をする。
【００２５】
ここで「更新すべき電子機器制御プログラム」とは、ＰＣ（Ｐｅｒｓｏｎａｌ  Ｃｏｍｐｕｔｅｒ）周辺機器、ゲーム機器、デジカメ（デジタルカメラ）、プリンタ、ＣＤ−ＲＯＭ（Ｃｏｍｐａｃｔ  Ｄｉｓｃ−Ｒｅａｄ  Ｏｎｌｙ  Ｍｅｍｏｒｙ）ドライブ、電子辞書、携帯電話、カーナビ（カーナビゲーションシステム）などに搭載される更新が必要なプログラムのことである。
（プログラム取得部）
【００２６】
「プログラム取得部」は、送信要求受付部にて受付けた送信要求に基づいて更新すべき電子機器制御プログラムの取得をする。
【００２７】
更新すべき電子機器制御プログラムの取得は、次のようにして行われる。
【００２８】
まず、第一の方法は、ネットワーク経由で、電子機器制御プログラム配信装置が、電子機器制御プログラムの提供メーカーから、更新が必要な電子機器制御プログラムの更新に必要な情報の提供を受付ける。受付けた電子機器制御プログラムは、電子機器制御プログラム配信装置内の電子機器制御プログラムＤＢ（Ｄａｔａ  Ｂａｓｅ）などに登録される。登録されているリストの中から、送信要求受付部で受付けた、メーカー名、プログラム名に一致するプログラムを取得する。
【００２９】
第二の方法としては、ＦＤ（Ｆｌｅｘｉｂｌｅ  Ｄｉｓｃ）、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ（ＣＤ−Ｒｅｃｏｒｄａｂｌｅ）、ＣＤ−ＲＷ（ＣＤ−Ｒｅｗｒｉｔａｂｌｅ）、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  ｄｉｓｃ）などの記録媒体を介して、電子機器制御プログラムの提供メーカーから、更新が必要な電子機器制御プログラムの更新に必要な情報の提供を受付ける。受付けた電子機器制御プログラムは、電子機器制御プログラム配信装置内の電子機器制御プログラムＤＢ（Ｄａｔａ  Ｂａｓｅ）などに登録される。登録されているリストの中から、送信要求受付部で受付けた、メーカー名、プログラム名に一致するプログラムを取得する。
【００３０】
（広告情報取得部）
【００３１】
「広告情報取得部」は、電子機器制御プログラムの更新に伴い電子機器を利用して出力される広告情報の取得をする。
【００３２】
広告情報の取得は、次のようにして行われる。
【００３３】
電子機器制御プログラム配信装置は、あらかじめ広告提供者から広告情報の提供を受付ける。広告情報の受付けは、ネットワーク経由でも、上記記録媒体でもよい。受付けた広告情報は、広告情報ＤＢ（Ｄａｔａ  Ｂａｓｅ）などに登録される。登録されているリストの中から、広告情報を取得する。
【００３４】
広告情報は、広告本体ばかりでなく、広告が掲載してあるＵＲＬ（Ｕｎｉｆｏｒｍ  Ｒｅｓｏｕｒｃｅ  Ｌｏｃａｔｏｒ）でもよい。
【００３５】
図９から図１１に、広告情報の例を示す。
【００３６】
図９の広告情報は、広告本体である。
【００３７】
図１０の広告情報は、広告本体が掲載されているＵＲＬの情報である。
【００３８】
図１１の広告情報は、広告本体と広告本体が掲載されているＵＲＬの情報である。
（更新情報生成部）
【００３９】
「更新情報生成部」は、電子機器制御プログラム及び、広告情報を含む更新情報の生成をする。
【００４０】
更新情報の生成は、次のように行われる。
【００４１】
プログラム取得部で取得した電子機器制御プログラムと広告情報取得部で取得した広告を一体化せずに一つのプログラムにする。
【００４２】
ここで「一体化せずに一つのプログラムにする」とは、図２に示すように、電子機器制御プログラムの中に広告情報を一体化して組み込まずに、別物の広告情報プログラムとして一つのプログラムにすることをいう。
【００４３】
ユーザが電子機器制御プログラムをインストールする際に、電子機器制御プログラムの起動と同時に広告情報プログラムが起動され、広告情報が表示されるように更新情報が生成される。
【００４４】
（更新情報送信部）
【００４５】
「更新情報送信部」は、更新情報生成部で生成された電子機器制御プログラム及び、広告情報を含む更新情報の送信をする。
【００４６】
ユーザは、電子機器制御プログラム配信装置より送信された電子機器制御プログラム及び、広告情報を含む更新情報を受信する。次にユーザは、受信した電子機器制御プログラムをインストールする。
【００４７】
図１２に示すように、電子機器制御プログラムの更新と同時に、ディスプレイ画面上に広告情報が表示される。「Ｙｅｓ」ボタンを押すと、プログラムの更新が開始する。図１３に示すように、プログラムの更新中、広告情報は表示される。図１４に示すように、プログラムの更新終了後、プログラムの更新終了メッセージが表示され、「ＯＫ」ボタンを押すまで、広告情報は表示される。
【００４８】
広告情報の表示は、更新すべき電子機器制御プログラムの更新時に限定されず、電子機器制御プログラムのダウンロード時であってもよい。具体的には、図１５に示すように、電子機器制御プログラムの送信開始と同時に、ディスプレイ画面上に広告情報が表示される。「Ｙｅｓ」ボタンを押すと、プログラムの送信が開始する。図１６に示すように、プログラムの送信中、広告情報は表示される。図１７に示すように、プログラムの送信終了後、プログラムの送信終了メッセージが表示され、「ＯＫ」ボタンを押すまで、広告情報は表示される。
【００４９】
また、広告情報の表示方法は、例えば、図１９に示すように、電子機器制御プログラムのインストール終了の告知メールに表示する方法でもよい。
【００５０】
また、図１８に示すように、プリンタのドライバのアップデートに関しては、テストプリントに印字する方法などが考えられる。
【００５１】
＜電子機器制御プログラム配信装置の動作＞
【００５２】
図３は、本発明の動作フローチャートである。図３に基づいて動作を説明すると、まず、電子機器制御プログラム配信装置は、電子機器において更新すべき電子機器制御プログラムの送信要求の受付をする（ステップＳ０３０１）。
【００５３】
次に、ステップＳ０３０１にて受付けた送信要求に基づいて更新すべき電子機器制御プログラムの取得をする（ステップＳ０３０２）。
【００５４】
次に、電子機器制御プログラムの更新に伴い電子機器を利用して出力される広告情報の取得をする（ステップＳ０３０３）。
【００５５】
なお、ステップＳ０３０２とステップＳ０３０３の順序は、逆になってもよい。
【００５６】
次に、電子機器制御プログラム及び、広告情報を含む更新情報の生成をする（ステップＳ０３０４）。
【００５７】
最後に、更新情報の送信をする（ステップＳ０３０５）。
【００５８】
＜電子辞書データの場合＞
【００５９】
以上電子機器制御プログラムについて説明したが、電子機器制御プログラムの替わりに電子辞書データであってもよい。
【００６０】
これは、例えば、電子辞書装置において更新すべき電子辞書データの送信要求の受付をする送信要求受付部と、前記送信要求受付部にて受付けた送信要求に基づいて更新すべき電子辞書データの取得をする電子辞書データ取得部と、前記電子辞書データの更新に伴い前記電子辞書装置を利用して出力される広告情報の取得をする広告情報取得部と、前記電子辞書データ及び、前記広告情報を含む更新情報の生成をする更新情報生成部と、前記更新情報の送信をする更新情報送信部と、を有する電子辞書データ配信装置が挙げられる。
【００６１】
また、電子辞書装置において更新すべき電子辞書データの送信要求の受付をする送信要求受付ステップと、前記送信要求受付部にて受付けた送信要求に基づいて更新すべき電子辞書データの取得をする電子辞書データ取得ステップと、前記電子辞書データの更新に伴い前記電子辞書装置を利用して出力される広告情報の取得をする広告情報取得ステップと、前記電子辞書データ及び、前記広告情報を含む更新情報の生成をする更新情報生成ステップと、前記更新情報の送信をする更新情報送信ステップと、を有する電子辞書データ配信方法であってもよい。
【００６２】
電子辞書データ配信装置の構成要件の説明は、基本的には、上記電子機器制御プログラム配信装置の説明と同様であるので省略する。
【００６３】
また、上記電子辞書データ配信装置は、一例として、電子辞書を買ったけれど、新しい用語が追加された場合は数万円ほど出して、また新しいものを買わないといけない。しかしながら、キーボードやディスプレイは全く壊れていないのに、あたらしいものに買い換えるのは非常にもったいない、というような場合に利用できる。
【００６４】
さらに、電子辞書データの利用例としては、一例として、次のようなものが考えられる。
【００６５】
まず、商法改正などで、法律が変化したような場合の「プロフェッショナル向けの法律便覧」などが挙げられる。
【００６６】
次に、新しい言葉や用語が生まれた場合の「英和・和英辞典」、「現代用語の基礎知識」、「ＩＴ業界用語集」などが挙げられる。
【００６７】
次に、新しい商品が生まれた場合の「保険業界製品一覧データ」などが挙げられる。
【００６８】
さらに、新しい道路ができた場合の「地図データ」などが挙げられる。
【００６９】
（実施の形態２）
【００７０】
＜実施の形態２の概念＞
【００７１】
図４に示すのは、実施の形態２の概念を示す図である。この図を用いながら、実施の形態２を説明する。
【００７２】
まず、ユーザは電子機器制御プログラム配信装置に更新の必要な電子機器制御プログラムの送信要求を行う。電子機器制御プログラム配信装置は、ユーザから要求のあった電子機器制御プログラムとそのプログラムに組み込まれた広告情報を、ネットワークを介してユーザ端末に送信する。ユーザ端末は、電子機器制御プログラムの更新をする電子機器自体である場合と、ユーザ端末に接続されたものが電子機器制御プログラムの更新をする必要がある電子機器である場合がある。
【００７３】
本件発明においては、ユーザ端末に接続して電子機器制御プログラムの更新を行う場合には、そのユーザ端末をも電子機器の一部を構成するものとする。
【００７４】
さて、ユーザは受信した電子機器制御プログラムを電子機器にインストールする作業を開始する。すると、電子機器制御プログラムの更新状況画面に付随して広告画面がディスプレイ上に現れ、ユーザは電子機器制御プログラムの更新作業を行うことにより、必然的に広告情報を閲覧することになる。電子機器は、デジカメ、カーナビ、プリンタ、携帯端末、ゲーム機器などが該当する。
【００７５】
実施の形態１との違いは、予め、電子機器制御プログラムの中に、広告情報が組み込まれていることである。
【００７６】
＜電子機器制御プログラム配信装置＞
【００７７】
図５、図６に示すように、電子機器制御プログラム配信装置（０５００、０６００）は、送信要求受付部（０５０１，０６０１）と、プログラム取得部（０５０２，０６０２）と、更新情報生成部（０５０３，０６０３）と、更新情報送信部（０５０４，０６０４）と、からなる。
【００７８】
（送信要求受付部）
【００７９】
「送信要求受付部」は、更新すべき電子機器制御プログラムのユーザからの送信要求の受付をする。
【００８０】
ここで「更新すべき電子機器制御プログラム」とは、ＰＣ（Ｐｅｒｓｏｎａｌ  Ｃｏｍｐｕｔｅｒ）ソフトウェア、ゲーム機器、デジカメ（デジタルカメラ）、プリンタ、ＣＤ−ＲＯＭ（Ｃｏｍｐａｃｔ  Ｄｉｓｃ−Ｒｅａｄ  Ｏｎｌｙ  Ｍｅｍｏｒｙ）ドライブ、電子辞書、携帯電話、カーナビ（カーナビゲーションシステム）などに搭載される更新が必要なプログラムのことである。
（プログラム取得部）
【００８１】
「プログラム取得部」は、送信要求受付部にて受付けた送信要求に基づいて更新すべき電子機器制御プログラムの取得をする。
【００８２】
電子機器制御プログラムの取得は次のように行われる。
【００８３】
まず、第一の方法は、ネットワーク経由で、電子機器制御プログラム配信装置が、電子機器制御プログラムの提供メーカーから、更新が必要な電子機器制御プログラムの更新に必要な情報の提供を受付ける。受付けた電子機器制御プログラムは、電子機器制御プログラム配信装置内の電子機器制御プログラムＤＢ（Ｄａｔａ  Ｂａｓｅ）に登録される。登録されているリストの中から、送信要求受付部で受付けた、メーカー名、プログラム名に一致するプログラムを取得する。
【００８４】
第二の方法としては、ＦＤ（Ｆｌｅｘｉｂｌｅ  Ｄｉｓｃ）、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ（ＣＤ−Ｒｅｃｏｒｄａｂｌｅ）、ＣＤ−ＲＷ（ＣＤ−Ｒｅｗｒｉｔａｂｌｅ）、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  ｄｉｓｃ）などの記録媒体を介して、電子機器制御プログラムの提供メーカーから、更新が必要な電子機器制御プログラムの更新に必要な情報の提供を受付ける。受付けた電子機器制御プログラムは、電子機器制御プログラム配信装置内の電子機器制御プログラムＤＢ（Ｄａｔａ  Ｂａｓｅ）に登録される。登録されているリストの中から、送信要求受付部で受付けた、メーカー名、プログラム名に一致するプログラムを取得する。
【００８５】
図５に示すように、電子機器制御プログラム配信装置は、あらかじめ広告提供者から広告情報の提供を受付ける。広告情報の受付けは、ネットワーク経由でも、上記記録媒体でもよい。受付けた広告情報は、広告情報ＤＢに登録される。登録されているリストの中から、広告情報を取得する。広告情報は、広告本体ばかりでなく、広告が掲載してあるＵＲＬ（Ｕｎｉｆｏｒｍ  Ｒｅｓｏｕｒｃｅ  Ｌｏｃａｔｏｒ）でもよい。
【００８６】
図９から図１１に、広告情報の例を示す。
【００８７】
また、図６に示すように、電子機器制御プログラム提供メーカーが、直接広告会社から広告情報を入手することもできる。
【００８８】
（更新情報生成部）
【００８９】
「更新情報生成部」は、電子機器を利用して広告情報を出力可能な更新すべき電子機器制御プログラムの生成をする。
【００９０】
ここで、「電子機器を利用して広告情報を出力可能な」とは、ユーザ側の電子機器上での電子機器制御プログラムの更新と同時に、電子機器を利用して広告情報を出力することができることをいう。広告情報は、電子機器制御プログラム中に組み込まれる。
【００９１】
電子機器を利用して広告情報を出力可能な更新すべき電子機器制御プログラムの更新情報生成は、次のようにして行われる。
【００９２】
プログラム取得部で取得した更新すべき電子機器制御プログラムは、広告情報を組み込んで一体化される。
【００９３】
具体的には、更新情報により電子機器制御プログラムが起動されると、続いて電子機器制御プログラムの指示にしたがって、電子機器制御プログラムに組み込まれた広告情報プログラムが起動され、広告情報が表示されるように構成される。
【００９４】
また、図６に示すように、電子機器制御プログラムと広告情報の一体化は、電子機器制御プログラム提供メーカーが行うこともできる。
【００９５】
（更新情報送信部）
【００９６】
「更新情報送信部」は、更新情報生成部で生成された電子機器を利用して広告情報を出力可能な更新すべき電子機器制御プログラムを含む更新情報の送信をする。
【００９７】
ユーザは、電子機器制御プログラム配信装置より送信された広告情報が組み込まれた電子機器制御プログラムを含む更新情報を受信する。次にユーザは、受信した更新情報により、電子機器制御プログラムをインストールする。
【００９８】
図１２に示すように、電子機器制御プログラムの更新と同時に、ディスプレイ画面上に広告情報が表示される。「Ｙｅｓ」ボタンを押すと、プログラムの更新が開始する。図１３に示すように、プログラムの更新中、広告情報は表示される。図１４に示すように、プログラムの更新終了後、プログラムの更新終了メッセージが表示され、「ＯＫ」ボタンを押すまで、広告情報は表示される。
【００９９】
広告情報の表示は、更新すべき電子機器制御プログラムの更新時に限定されず、電子機器制御プログラムのダウンロード時であってもよい。具体的には、図１５に示すように、電子機器制御プログラムの送信開始と同時に、ディスプレイ画面上に広告情報が表示される。「Ｙｅｓ」ボタンを押すと、プログラムの送信が開始する。図１６に示すように、プログラムの送信中、広告情報は表示される。図１７に示すように、プログラムの送信終了後、プログラムの送信終了メッセージが表示され、「ＯＫ」ボタンを押すまで、広告情報は表示される。
【０１００】
また、広告情報の表示方法は、例えば、図１９に示すように、電子機器制御プログラムのインストール終了の告知メールに表示する方法でもよい。
【０１０１】
また、図１８に示すように、プリンタのドライバのアップデートに関しては、テストプリントに印字する方法などが考えられる。
【０１０２】
＜電子機器制御プログラム配信装置の動作＞
【０１０３】
図７は、実施の形態２の動作フローチャートである。図７に基づいて動作を説明すると、まず、電子機器制御プログラム配信装置は、電子機器において更新すべき電子機器制御プログラムの送信要求の受付をする（ステップＳ０７０１）。
【０１０４】
次に、電子機器制御プログラムの更新に伴い、電子機器を利用して広告情報を出力可能な電子機器制御プログラムの取得をする（ステップＳ０７０２）。
【０１０５】
次に、電子機器制御プログラムを含む更新情報の生成をする（ステップＳ０７０３）。
【０１０６】
更新情報の送信をする（ステップＳ０７０４）。
【０１０７】
＜電子辞書データの場合＞
【０１０８】
以上電子機器制御プログラムについて説明したが、電子機器制御プログラムの替わりに電子辞書データであってもよい。
【０１０９】
これは、例えば、電子辞書装置において更新すべき電子辞書データの送信要求の受付をする送信要求受付部と、前記電子辞書データの更新に伴い前記電子辞書装置を利用して広告情報を出力可能な電子辞書データの取得をする電子辞書データ取得部と、前記電子辞書データを含む更新情報の生成をする更新情報生成部と、
更新情報の送信をする更新情報送信部と、を有する電子辞書データ配信装置が挙げられる。
【０１１０】
また、電子辞書装置において更新すべき電子辞書データの送信要求の受付をする送信要求受付ステップと、前記電子辞書データの更新に伴い前記電子辞書装置を利用して広告情報を出力可能な電子辞書データの取得をする電子辞書データ取得ステップと、前記電子辞書データを含む更新情報の生成をする更新情報生成ステップと、更新情報の送信をする更新情報送信ステップと、を有する電子辞書データ配信方法であってもよい。
以上電子機器制御プログラムについて説明したが、電子機器制御プログラムの替わりに電子辞書データであってもよい。
【０１１１】
電子辞書データ配信装置の構成要件の説明は、上記電子機器制御プログラム配信装置の説明と同様であるので省略する。
【０１１２】
また、上記電子辞書データ配信装置は、一例として、電子辞書を買ったけれど、新しい用語が追加された場合は数万円ほど出して、また新しいものを買わないといけない。しかしながら、キーボードやディスプレイは全く壊れていないのに、あたらしいものに買い換えるのは非常にもったいない、というような場合に利用できる。
【０１１３】
さらに、電子辞書データの利用例としては、一例として、次のようなものが考えられる。
【０１１４】
まず、商法改正などで、法律が変化したような場合の「プロフェッショナル向けの法律便覧」などが挙げられる。
【０１１５】
次に、新しい言葉や用語が生まれた場合の「英和・和英辞典」、「現代用語の基礎知識」、「ＩＴ業界用語集」などが挙げられる。
【０１１６】
次に、新しい商品が生まれた場合の「保険業界製品一覧データ」などが挙げられる。
【０１１７】
さらに、新しい道路ができた場合の「地図データ」などが挙げられる。
【０１１８】
（実施の形態３）
【０１１９】
＜実施の形態３の概念＞
【０１２０】
図８に示すのは、実施の形態３の概念図である。
電子機器制御プログラムの更新のためのプログラムは、更新に伴い電子機器を利用して広告情報を出力可能な広告情報プログラムを有している。更新プログラムを電子機器にインストール開始することにより、広告情報が表示され、更新作業者に広告を閲覧させることが可能となる。
【０１２１】
＜電子機器制御プログラムの更新のためのプログラム＞
【０１２２】
電子機器制御プログラムの更新のためのプログラム（０８００）は、更新に伴い電子機器を利用して広告情報を出力可能な広告情報プログラム（０８０１）を有している。
【０１２３】
（プログラム）
【０１２４】
「プログラム」は、電子機器制御プログラムの更新のためのプログラムである。
【０１２５】
ＰＣ（Ｐｅｒｓｏｎａｌ  Ｃｏｍｐｕｔｅｒ）ソフトウェア、ゲーム機器、デジカメ（デジタルカメラ）、プリンタ、ＣＤ−ＲＯＭ（Ｃｏｍｐａｃｔ  Ｄｉｓｃ−Ｒｅａｄ  Ｏｎｌｙ  Ｍｅｍｏｒｙ）ドライブ、電子辞書、携帯電話、カーナビ（カーナビゲーションシステム）などが該当する。
【０１２６】
（広告情報プログラム）
【０１２７】
「広告情報プログラム」は、電子機器制御プログラムと一体となって構成され、電子機器制御プログラムの更新に伴い、電子機器を利用して広告情報を出力することができる。
【０１２８】
広告情報は、広告本体ばかりでなく、広告が掲載してあるＵＲＬ（Ｕｎｉｆｏｒｍ  Ｒｅｓｏｕｒｃｅ  Ｌｏｃａｔｏｒ）でもよい。
【０１２９】
図９から図１１に、広告情報の例を示す。
【０１３０】
＜プログラムの動作＞
【０１３１】
図２０に実施の形態３の動作フローチャートを示す。
【０１３２】
最初に、ユーザは、広告情報の取得開始の信号である取得開始信号を含む電子機器制御プログラムを電子機器に読み込ませる（ステップＳ２００１）。
【０１３３】
次に、電子機器制御プログラムは、ステップＳ２００１における取得開始信号を検出する（ステップＳ２００２）。
【０１３４】
次に、電子機器制御プログラムは、ステップＳ２００２で検出した取得開始信号に基づいて広告情報の取得を開始する（ステップＳ２００３）。
【０１３５】
次に、電子機器制御プログラムは、ステップＳ２００３により取得の開始された広告情報を出力する（ステップＳ２００４）。
【０１３６】
（実施の形態４）
【０１３７】
＜実施の形態４の概念＞
【０１３８】
図８に示すのは、実施の形態４の概念図である。
電子機器は、電子機器制御プログラムの更新のためのプログラムを格納し、更新に伴い電子機器を利用して広告情報を出力可能な広告情報プログラムを有している。更新プログラムを電子機器にインストール開始することにより、広告情報が表示され、更新作業者に広告を閲覧させることが可能となる。
【０１３９】
＜電子機器＞
【０１４０】
図２１に示すように、電子機器（２１００）は、電子機器制御プログラム格納部（２１０１）と、インストール部（２１０２）と、広告情報出力部（２１０３）と、からなる。
【０１４１】
電子機器には、ＰＣ（Ｐｅｒｓｏｎａｌ  Ｃｏｍｐｕｔｅｒ）、ゲーム機器、デジカメ（デジタルカメラ）、プリンタ、ＣＤ−ＲＯＭ（Ｃｏｍｐａｃｔ  Ｄｉｓｃ−Ｒｅａｄ  Ｏｎｌｙ  Ｍｅｍｏｒｙ）、電子辞書、携帯電話、カーナビ（カーナビゲーションシステム）などが該当する。
【０１４２】
（電子機器制御プログラム格納部）
【０１４３】
「電子機器制御プログラム格納部」は、実施の形態１に記載の電子機器制御プログラム配信装置に対してされた電子機器において更新すべき電子機器制御プログラムの送信要求に基づいて実施の形態１に記載の電子機器制御プログラム配信装置から送信された更新情報を格納する。
【０１４４】
電子機器制御プログラムには、ＰＣ（Ｐｅｒｓｏｎａｌ  Ｃｏｍｐｕｔｅｒ）ソフトウェア、ゲーム機器、デジカメ（デジタルカメラ）、プリンタ、ＣＤ−ＲＯＭ（Ｃｏｍｐａｃｔ  Ｄｉｓｃ−Ｒｅａｄ  Ｏｎｌｙ  Ｍｅｍｏｒｙ）ドライブ、電子辞書、携帯電話、カーナビ（カーナビゲーションシステム）などが該当する。
【０１４５】
なお、上記電子機器制御プログラムの送信要求は、電子機器自体からなされる場合に限定されず、電子機器に接続されたユーザ端末からなされる場合も含む。
【０１４６】
（インストール部）
【０１４７】
「インストール部」は、前記電子機器制御プログラム格納部に格納された更新情報に含まれる電子機器制御プログラムを実行可能にインストールする。
【０１４８】
（広告情報出力部）
【０１４９】
「広告情報出力部」は、前記インストールに際して前記更新情報に含まれる広告情報を出力する。
【０１５０】
広告情報は、広告本体ばかりでなく、広告が掲載してあるＵＲＬ（Ｕｎｉｆｏｒｍ  Ｒｅｓｏｕｒｃｅ  Ｌｏｃａｔｏｒ）でもよい。
【０１５１】
図９から図１１に、広告情報の例を示す。
【０１５２】
図１２から図１９に広告情報の出力例を示す。
【０１５３】
＜プログラムの動作＞
【０１５４】
図２２に実施の形態４の動作フローチャートを示す。
【０１５５】
電子機器の電子機器制御プログラム格納部は、電子機器制御プログラム配信装置に対してされた電子機器において更新すべき電子機器制御プログラムの送信要求に基づいて、電子機器制御プログラム配信装置から送信された更新情報を格納する（ステップＳ２２０１）。
【０１５６】
次に、電子機器のインストール部は、前記電子機器制御プログラム格納部に格納された更新情報に含まれる電子機器制御プログラムを実行可能にインストールする。（ステップＳ２２０２）。
【０１５７】
次に、電子機器の広告情報出力部は、前記インストールに際して前記更新情報に含まれる広告情報を出力する（ステップＳ２２０３）。
【産業上の利用可能性】
【０１５８】
本発明の電子機器制御プログラム配信装置は、電子機器制御プログラムの更新作業時の広告装置として有用である。
【図面の簡単な説明】
【０１５９】
【図１】実施の形態１の概念図
【図２】実施の形態１のブロック構成図
【図３】実施の形態１の動作フローチャート
【図４】実施の形態２の概念図
【図５】実施の形態２のブロック構成図その１
【図６】実施の形態２のブロック構成図その２
【図７】実施の形態２の動作フローチャート
【図８】実施の形態３のブロック構成図
【図９】広告情報その１の説明図
【図１０】広告情報その２の説明図
【図１１】広告情報その３の説明図
【図１２】ディスプレイ画面その１（１／３）の出力例
【図１３】ディスプレイ画面その１（２／３）の出力例
【図１４】ディスプレイ画面その１（３／３）の出力例
【図１５】ディスプレイ画面その２（１／３）の出力例
【図１６】ディスプレイ画面その２（２／３）の出力例
【図１７】ディスプレイ画面その２（３／３）の出力例
【図１８】プリンタ印字画面の出力例
【図１９】電子メール画面の出力例
【図２０】実施の形態３の動作フローチャート
【図２１】実施の形態４のブロック構成図
【図２２】実施の形態４の動作フローチャート
【符号の説明】
【０１６０】
０２００  電子機器制御プログラム配信装置
０２０１  送信要求受付部
０２０２  プログラム取得部
０２０３  広告情報取得部
０２０４  更新情報生成部
０２０５  更新情報送信部
【図１】
2005032012.tif 000003
【図２】
2005032012.tif 000004
【図３】
2005032012.tif 000005
【図４】
2005032012.tif 000006
【図５】
2005032012.tif 000007
【図６】
2005032012.tif 000008
【図７】
2005032012.tif 000009
【図８】
2005032012.tif 000010
【図９】
2005032012.tif 000011
【図１０】
2005032012.tif 000012
【図１１】
2005032012.tif 000013
【図１２】
2005032012.tif 000014
【図１３】
2005032012.tif 000015
【図１４】
2005032012.tif 000016
【図１５】
2005032012.tif 000017
【図１６】
2005032012.tif 000018
【図１７】
2005032012.tif 000019
【図１８】
2005032012.tif 000020
【図１９】
2005032012.tif 000021
【図２０】
2005032012.tif 000022
【図２１】
2005032012.tif 000023
【図２２】
2005032012.tif 000024